(57)【要約】      （修正有）【課題】複数種類の電子マネーを搭載する１つの携帯可能電子装置を用いて円滑な改札処理が実現できる運賃収受システム、登録装置、管理サーバおよび改札機を提供する。【解決手段】運賃収受システム１は、登録装置１３、１４と管理サーバ１５と改札機１２とを有する。登録装置１３，１４は、入力デバイスに入力された設定情報と携帯可能電子装置の識別情報とを対応づけて管理サーバ１５へ送信する。管理サーバ１５は、設定情報と携帯可能電子装置の識別情報とを対応づけて記憶部に記憶し、記憶部に記憶した設定情報に基づいて改札機１２での決済に用いる電子マネーのブランドを選定し、選定した電子マネーのブランドを示す情報を改札機１２へ送信する。改札機１２は、携帯可能電子装置の識別情報を管理サーバ１５へ送信し、管理サーバ１５から指定されるブランドの電子マネーで料金の決済を行う。【選択図】図１
2020177558.tif 000002
【特許請求の範囲】
【請求項１】
登録装置と管理サーバと改札機とを有する運賃収受システムであって、
前記登録装置は、
前記管理サーバと通信する第１の通信部と、
利用者が所持する携帯可能電子装置の識別情報を読み取る第１のリーダと、
前記第１のリーダが識別情報を読み取った前記携帯可能電子装置が前記改札機での料金の決済に用いる電子マネーのブランドを選定するための設定情報を入力する入力デバイスと、
前記入力デバイスに入力された設定情報と前記携帯可能電子装置の識別情報とを対応づけて前記管理サーバへ送信する第１の制御部と、を有し、
前記管理サーバは、
前記登録装置および前記改札機と通信する第２の通信部と、
前記登録装置から受信する設定情報と携帯可能電子装置の識別情報とを対応づけて記憶する記憶部と、
前記改札機から利用者が所持する携帯可能電子装置の識別情報を受信した場合、前記記憶部が記憶する設定情報に基づいて前記利用者が所持する前記携帯可能電子装置が前記改札機での決済に用いる電子マネーのブランドを選定し、選定した電子マネーのブランドを示す情報を前記改札機へ送信する第２の制御部と、を有し、
前記改札機は、
前記管理サーバと通信する第３の通信部と、
利用者が所持する携帯可能電子装置の識別情報を読み取る第２のリーダと、
前記第２のリーダが読み取った前記携帯可能電子装置の識別情報を前記管理サーバへ送信し、前記管理サーバから指定されるブランドの電子マネーで前記利用者が所持する携帯可能電子装置を用いた料金の決済を行う第３の制御部と、を有する、
運賃収受システム。
【請求項２】
前記設定情報は、前記識別情報で特定される携帯可能電子装置が具備する複数のブランドの電子マネーのうち前記改札機での決済に用いる電子マネーのブランドを示す情報であり、
前記管理サーバの前記第２の制御部は、前記設定情報が示す電子マネーのブランドを選定する、
請求項１に記載の運賃収受システム。
【請求項３】
前記設定情報は、
前記識別情報で特定される携帯可能電子装置が具備する複数のブランドの電子マネーのうち前記改札機での決済に用いる電子マネーのブランドを選定するための条件を示す情報である、
前記管理サーバの前記第２の制御部は、前記設定情報が示す条件に従って電子マネーのブランドを選定する、
請求項１に記載の運賃収受システム。
【請求項４】
管理サーバと改札機とを有する運賃収受システムであって、
前記管理サーバは、
前記改札機と通信する第１の通信部と、
携帯可能電子装置の識別情報に対応づけて前記携帯可能電子装置が具備する複数のブランドの電子マネーのうち前記改札機での決済に用いる電子マネーのブランドを決定するための設定情報を記憶する記憶部と、
前記改札機から利用者が所持する携帯可能電子装置の識別情報を受信した場合、前記記憶部が記憶する設定情報に基づいて前記利用者が所持する携帯可能電子装置が前記改札機での決済に用いる電子マネーのブランドを選定し、選定した電子マネーのブランドを示す情報を前記改札機へ送信する第１の制御部と、を有し、
前記改札機は、
前記管理サーバと通信する第２の通信部と、
利用者が所持する携帯可能電子装置から識別情報を読み取るリーダと、
前記リーダが読み取った前記携帯可能電子装置の識別情報を前記管理サーバへ送信し、前記管理サーバから指定される電子マネーのブランドで前記利用者が所持する携帯可能電子装置を用いた料金の決済を行う第２の制御部と、を有する、
運賃収受システム。
【請求項５】
管理サーバが管理する情報によって料金の決済を含む改札処理を行う改札機を含む運賃収受システムに用いられる登録装置であって、
前記管理サーバと通信する通信部と、
利用者が所持する携帯可能電子装置の識別情報を読み取るリーダと、
前記リーダが識別情報を読み取った前記携帯可能電子装置が前記改札機での料金の決済に用いる電子マネーを選定するための設定情報を入力する入力デバイスと、
前記入力デバイスに入力された設定情報を前記携帯可能電子装置の識別情報と対応づけて前記管理サーバへ送信する制御部と、
を有する登録装置。
【請求項６】
改札機が料金の決済を含む改札処理を行うための情報を管理する管理サーバであって、
前記改札機と通信する通信部と、
利用者が所持する携帯可能電子装置の識別情報に対応づけて当該携帯可能電子装置が具備する複数のブランドの電子マネーのうち前記改札機での決済に用いる電子マネーのブランドを決定するための設定情報を記憶する記憶部と、
前記改札機から利用者が所持する携帯可能電子装置の識別情報を受信した場合、前記記憶部が記憶する設定情報に基づいて受信した識別情報の携帯可能電子装置が前記改札機での決済に用いる電子マネーのブランドを選定し、選定した電子マネーのブランドを示す情報を前記改札機へ送信する制御部と、
を有する管理サーバ。
【請求項７】
管理サーバが管理する情報に基づいて料金の決済を含む改札処理を行う改札機であって、
前記管理サーバと通信する通信部と、
利用者が所持する携帯可能電子装置の識別情報を読み取るリーダと、
前記リーダが読み取った携帯可能電子装置の識別情報を前記管理サーバへ送信し、前記管理サーバから指定されるブランドの電子マネーで前記利用者が所持する携帯可能電子装置を用いた料金の決済を実行する制御部と、
を有する改札機。
【発明の詳細な説明】
【技術分野】
【０００１】
本発明の実施形態は、運賃収受システム、登録装置、管理サーバおよび改札機に関する。
【背景技術】
【０００２】
鉄道などの交通機関では、交通機関等が発行する専用のカード（以下、交通専用カード）を用いて運賃収受を行う改札システムが実用化されている。従来の交通専用カードを用いた改札システムでは、改札機が、交通専用カードに入場または出場の情報を記録したり、交通専用カードが保持する金額情報で運賃を精算したりする。これに対して、近年では、交通専用カード以外の媒体を用いて交通機関における運賃を収受するアカウント型運賃収受システムと称するシステムが提案されている。アカウント型運賃収受システムでは、利用者が所持する携帯可能電子装置（ＩＣカードまたはＩＣカードと同様な機能を有する携帯端末）が有する電子マネーによって、運賃の収受を行うことで改札機を通行することを可能とする。
【０００３】
一方、現状において、電子マネーとしては、複数の種類（ブランド）が存在している。１つの携帯可能電子装置には、複数のブランドの電子マネーを搭載することが可能である。このため、利用者が所持する１つの携帯可能電子装置には、複数のブランドの電子マネーを搭載されていることがありうる。一般に、小売店などで電子マネーを用いて料金を決済する決済装置（例えば、ＰＯＳレジ）では、利用者が提示する携帯可能電子装置が複数の種類の電子マネーを搭載する場合、利用者自身または利用者に意向に応じてオペレータ（店員）が操作キー（例えば、ボタンまたはタッチパネル）で指定するブランドの電子マネーで決済を行う。
【０００４】
しかしながら、駅などの改札口で改札業務を行う改札機では、改札口を通過する際に使用する電子マネーのブランドを操作キーで利用者自身に選択させるという運用は現実的でない。つまり、従来のアカウント型運賃収受システムでは、複数のブランドの電子マネーが搭載される１つの携帯可能電子装置を用いた円滑な改札処理を実現することが難しいという問題がある。
【先行技術文献】
【特許文献】
【０００５】
【特許文献１】特開２００３−２５６７５１号公報
【発明の概要】
【発明が解決しようとする課題】
【０００６】
本発明は、上述した課題を解決するため、複数種類の電子マネーを搭載する１つの携帯可能電子装置を用いて円滑な改札処理が実現できる運賃収受システム、登録装置、管理サーバおよび改札機を提供することを目的とする。
【課題を解決するための手段】
【０００７】
実施形態によれば、運賃収受システムは、登録装置と管理サーバと改札機とを有する。登録装置は、第１の通信部と第１のリーダと入力デバイスと第１の制御部とを有する。管理サーバは、第２の通信部と記憶部と第２の制御部とを有する。改札機は、第３の通信部と第２のリーダと第３の制御部とを有する。第１の通信部は、管理サーバと通信する。第１のリーダは、利用者が所持する携帯可能電子装置の識別情報を読み取る。入力デバイスは、第１のリーダが識別情報を読み取った携帯可能電子装置が改札機での料金の決済に用いる電子マネーのブランドを選定するための設定情報を入力する。第１の制御部は、入力デバイスに入力された設定情報と携帯可能電子装置の識別情報とを対応づけて管理サーバへ送信する。第２の通信部は、登録装置および改札機と通信する。記憶部は、登録装置から受信する設定情報と携帯可能電子装置の識別情報とを対応づけて記憶する。第２の制御部は、改札機から利用者が所持する携帯可能電子装置の識別情報を受信した場合、記憶部が記憶する設定情報に基づいて利用者が所持する携帯可能電子装置が改札機での決済に用いる電子マネーのブランドを選定し、選定した電子マネーのブランドを示す情報を改札機へ送信する。第３の通信部は、管理サーバと通信する。第２のリーダは、利用者が所持する携帯可能電子装置の識別情報を読み取る。第３の制御部は、第２のリーダが読み取った携帯可能電子装置の識別情報を管理サーバへ送信し、管理サーバから指定されるブランドの電子マネーで利用者が所持する携帯可能電子装置を用いた料金の決済を行う。
【図面の簡単な説明】
【０００８】
【図１】図１は、実施形態に係る運賃収受システム全体の構成例を概略的に示す図である。
【図２】図２は、実施形態に係る運賃収受システムにおける改札機の構成例を示すブロック図である。
【図３】図３は、実施形態に係る運賃収受システムにおける登録装置としての係員端末の構成例を示すブロック図である。
【図４】図４は、実施形態に係る運賃収受システムにおける登録装置としての券売機の構成例を示すブロック図である。
【図５】図５は、実施形態に係る運賃収受システムにおける登録装置としての券売機の構成例を示すブロック図である。
【図６】図６は、実施形態に係る運賃収受システムにおける使用する電子マネーの利用設定を示す登録情報を登録する登録処理の流れを説明するためのシーケンスである。
【図７】図７は、実施形態に係る運賃収受システムにおける入場処理の流れを説明するためのシーケンスである。
【図８】図８は、実施形態に係る運賃収受システムにおける出場処理の流れを説明するためのシーケンスである。
【発明を実施するための形態】
【０００９】
以下、図面を参照して実施形態に係る運賃収受システム１について説明する。  
図１は、実施形態に係る運賃収受システム１の構成例を示す概念図である。  
運賃収受システム１は、例えば、鉄道又はバスなどの交通機関における改札システムに適用される。また、運賃収受システム１は、各種の施設（有料施設）などにおける入出場システムなどにも適用することができる。以下、運賃収受システムを交通機関（例えば、鉄道）の改札システムに適用するケースを中心に説明する。
【００１０】
図１に示すように、運賃収受システム１は、改札機１２、係員端末１３、券売機１４、管理サーバ１５、および、決済サーバ１６（１６Ａ、１６Ｂ、１６Ｃ）を有する。  
改札機１２は、通過（入場または出場）しようとする利用者の通行を制御する改札処理を実行する。改札機１２は、例えば、駅などの各改札口に１台又は複数台が設置される。改札機１２は、利用者が所持する電子マネー機能を有する携帯可能電子装置に応じて改札処理を実行する。
【００１１】
実施形態において、改札機１２が処理対象とする携帯可能電子装置は、例えば、非接触式のＩＣカードまたは非接触式のＩＣカードと同等の機能を有する携帯端末（携帯電話機、スマートフォン、タブレットＰＣ等）などである。改札機１２が処理対象とする携帯可能電子装置は、改札処理を実施する交通機関以外の事業者（例えば、金融機関）が運用する電子マネー機能を具備する。また、１つの携帯可能電子装置は、複数の種類（ブランド）の電子マネー機能を具備することができるものとする。
【００１２】
また、携帯可能電子装置が具備する電子マネーとしては、予めチャージした金額で決済を行うプリペイド型であっても良いし、予め設定した口座などから金額を後払いで決済するクレジットカードなどにポストペイ型であっても良い。また、電子マネーとして利用可能な金額情報は、サーバで管理するものでっても良いし、携帯可能電子装置自身に記憶して管理するものであっても良い。
【００１３】
なお、改札機１２は、交通機関が発行する専用のカード（交通専用カード）を用いて改札処理を実行する機能も具備するものであっても良い。また、本実施形態において、運賃収受システム１は、改札機１２として入場処理専用の改札機と出場処理専用の改札機とを有するものであっても良いし、入出場兼用の改札機を有するものであっても良い。
【００１４】
係員端末１３は、運賃収受システム１を運用する事業者の係員が操作する端末装置である。係員端末１３は、利用者が所持する携帯可能電子装置に搭載された電子マネーに関する設定情報を管理サーバ１５に登録するための登録装置としての機能を有する。係員端末１３は、係員が操作するための操作部を具備し、利用者が所持する携帯可能電子装置の識別情報（カードＩＤ）を取得する機能、および、管理サーバ１５と通信する機能を有するものであれば良い。係員端末１３は、例えば、駅の係員窓口内に設定される装置である。また、係員端末１３は、係員が携帯する端末装置であっても良い。
【００１５】
券売機１４は、利用者自身が操作する装置である。券売機１４は、利用者が所持する携帯可能電子装置に搭載された電子マネーに関する設定情報を管理サーバ１５に登録するための登録装置としての機能を有する。券売機１４は、利用者自身が操作するためのユーザインターフェースを具備し、利用者が所持する携帯可能電子装置の識別情報（カードＩＤ）を取得する機能、および、管理サーバ１５と通信する機能を有するものであれば良い。例えば、券売機１４は、乗車券、特急券又は定期券などを発券する発券機、運賃を精算する精算機、あるいは、利用者が所持する携帯可能電子装置としてのＩＣカードを処理するためのカード処理機などである。
【００１６】
管理サーバ１５は、改札機１２による改札処理に必要な処理としての運賃計算を実行する。管理サーバ１５は、１台又は複数台のサーバ装置によって構成される。管理サーバ１５は、各改札機１２、係員端末１３および券売機１４などの駅務機器とネットワークを介して接続される。管理サーバ１５は、各改札機１２との間で各種のデータを送受信する。管理サーバ１５は、改札機１２からの情報に応じて改札処理に必要な処理としての運賃計算を実行し、運賃計算の結果を改札機１２へ供給する。
【００１７】
複数の改札機１２、係員端末１３、券売機１４および管理サーバ１５は、携帯可能電子装置が具備する電子マネー機能による運賃などを決済することで利用者に対する改札口における通行制御を含む駅務を行う駅務システムを構成する。すなわち、駅務システムを構成する複数の改札機１２、係員端末１３、券売機１４および管理サーバ１５は、鉄道などの交通機関が運用するシステムである。本実施形態において、駅務システムは、アカウント型運賃収受システムが適用されるシステムであるため、駅の改札口などの入出場口に配置した各改札機１２が個々の利用者に対して円滑な通行制御を行えるように、各改札機１２と管理サーバ１５とが高速なデータ通信を行うように構成される。また、駅務システムは、管理サーバ１５が各改札機１２、係員端末１３および券売機１４などの駅務機器とセキュアな通信を保つようにローカルなネットワークによって構築される。
【００１８】
決済サーバ１６は、電子マネーによる決済を行うためのサーバである。決済サーバ１６は、１台又は複数台のサーバ装置によって構成される。本実施形態において、決済サーバ１６は、利用者が所持する１つの携帯可能電子装置に対して読取および書込みを行う機能を有する改札機１２と通信することにより、当該携帯可能電子装置に搭載されている何れかの電子マネーで決済を行うものとする。
【００１９】
決済サーバ１６は、上述したような駅務システムを運用する交通機関などの事業者とは別の事業者が提供する電子マネーによる決済を行うためのサーバであり、交通機関などの事業者とは別の事業者が運用するサーバである。本実施形態に係る運賃収受システム１は、各改札機１２と決済サーバ１６とがセキュアに通信できる構成であれば良い。ただし、図１に示す構成例では、決済サーバ１６は、それぞれの改札機１２に接続する構成としたが、決済サーバ１６は、管理サーバ１５を介して各改札機１２と通信する構成としても良い。
【００２０】
また、上述したように、改札機１２による改札処理に用いる携帯可能電子装置は、複数種類の電子マネーを具備するものを想定する。このため、運賃収受システム１としては、改札処理に利用できる各種（ブランド）の電子マネーごとに決済サーバ１６Ａ、１６Ｂ、１６Ｃが存在する。改札機１２は、これらの各決済サーバ１６に通信接続される。
【００２１】
また、改札処理に利用できる電子マネーには、携帯可能電子装置は、決済サーバを介さずに決済する方式の電子マネーを含めても良い。この場合、決済サーバを介さずに決済する電子マネーについては、改札機１２は、決済サーバなどの外部のサーバと通信せずに決済を実施するようにして良い。  
なお、以下、複数種類の電子マネーを搭載する利用者が所持する携帯可能電子装置が非接触式のＩＣカード（以下、単にＩＣカードと称する）であるものとして説明するものとする。
【００２２】
次に、実施形態に係る運賃収受システム１における改札機１２の構成について説明する。  
図２は、実施形態に係る改札機１２の構成例を示すブロック図である。  
図２に示すように、改札機１２は、制御部２１、記憶部２２、第１通信部２３、第２通信部２４、リーダライタ（Ｒ／Ｗ）２５、ディスプレイ２６、スピーカ２７、および、通行制御機構２８を備える。
【００２３】
制御部２１は、改札機１２における各種の動作を制御する。制御部２１は、プログラムを実行するプロセッサを有する。例えば、制御部２１は、プロセッサ、メモリおよびインターフェースなどで構成する。制御部２１は、プロセッサが記憶部２２または制御部２１内のメモリに記憶するプログラムを実行することにより各種の処理を実行する。
【００２４】
制御部２１は、リーダライタ２５を介して通信する利用者が所持するＩＣカード（携帯可能電子装置）から当該ＩＣカードを特定する識別情報を取得する。例えば、ＩＣカードから取得する識別情報は、ＩＣカードからの初期応答に含まれるノンセキュアな識別情報である。ＩＣカードからの初期応答に含まれる識別情報は、個々の電子マネーに付与される識別情報ではなく、１つのＩＣカードを特定するための情報である。例えば、ＩＣカードを特定する識別情報は、カードの製造番号（又は発行番号）である。ここでは、初期応答に含まれる１つの携帯可能電子装置としてのＩＣカードを特定する識別情報をカードＩＤと称するものとする。
【００２５】
また、制御部２１は、ＩＣカードに搭載されている電子マネーのうち使用する電子マネーを認証する認証処理を行う。例えば、制御部２１は、上記問合せに応じて管理サーバ１５が指定する電子マネーの認証処理を実行する。また、制御部２１は、管理サーバ１５から取得する運賃を電子マネーで決済するために、当該電子マネーの決済用データを当該ＩＣカードから取得し、決済用データによる決済を決済サーバ１６へ依頼する。また、制御部２１は、決済サーバ１６における運賃の決済結果に応じて通行制御機構２８を制御して利用者の通行を制御する。
【００２６】
記憶部２２は、データを記憶する。記憶部２２は、ＨＤＤ（ハードディスクドライブ）あるいはＳＳＤ（ソリッドステートドライブ）などの書き換え可能な不揮発性のメモリで構成する。  
第１通信部２３は、管理サーバ１５と通信するための通信インターフェースである。また、第２通信部２４は、決済サーバ１６と通信するための通信インターフェースである。第１通信部２３および第２通信部２４は、制御部２１の制御に応じて管理サーバ１５および決済サーバ１６と通信できるものであれば良い。例えば、第１通信部２３および第２通信部２４は、１つのハードウエアで実現しても良い。
【００２７】
リーダライタ２５は、利用者が所持する携帯可能電子装置としてのＩＣカードに対してデータの読取および書込みを実行する。リーダライタ２５は、利用者が所持するＩＣカードと非接触で通信することによって、当該ＩＣカードが記憶するデータを読み取ったり、当該ＩＣカードにデータを書き込んだりする。
【００２８】
ディスプレイ２６は、情報を表示する。ディスプレイ２６は、当該改札機１２を通行（入場または出場）しようとする利用者が視認可能な位置に設ける。ディスプレイ２６は、制御部２１によって表示内容が制御される。例えば、ディスプレイ２６は、利用者が提示する媒体から読み取った情報、および、通行の可否を示す情報などを表示する。
【００２９】
スピーカ２７は、音を出力する。スピーカ２７は、当該改札機１２を通行しようとする利用者が認識できるような音を出力する。スピーカ２７は、制御部２１によって出力する音が制御される。例えば、スピーカ２７は、リーダライタ２５による媒体との通信状態を示す音を出力したり、通行を不可する利用者に対するアラートを音声出力したりする。
【００３０】
通行制御機構２８は、改札機１２が形成する改札用の通路（入場用または出場用の通路）における利用者の通行を制御するものである。通行制御機構２８は、制御部２１の指示に応じて利用者の通行を制御するように駆動する。例えば、通行制御機構２８は、ドアおよびドアの開閉を制御する駆動機構を有する。通行制御機構２８は、利用者の通行を阻止する場合にはドアを閉鎖し、利用者の通行を許可する場合にはドアを開放するように動作する。
【００３１】
次に、実施形態に係る運賃収受システム１における登録装置としての係員端末１３の構成について説明する。  
図３は、実施形態に係る登録装置としての係員端末１３の構成例を示すブロック図である。  
図３に示すように、係員端末１３は、制御部３１、記憶部３２、通信部３３、リーダライタ（Ｒ／Ｗ）３５、ディスプレイ３６、および、操作部３７などを備える。  
制御部３１は、係員端末１３における各種の動作を制御する。制御部３１は、プログラムを実行するプロセッサを有する。例えば、制御部３１は、プロセッサ、メモリおよびインターフェースなどで構成する。制御部３１は、プロセッサが記憶部３２または制御部３１内のメモリに記憶するプログラムを実行することにより各種の処理を実行する。例えば、本実施形態では、制御部３１は、利用者が所持するＩＣカードに搭載される電子マネーのうち改札機１２での決済に用いる電子マネーを選定するための設定情報を管理サーバ１５に登録する登録処理を行う。
【００３２】
記憶部３２は、各種のデータを記憶する。記憶部３２は、例えば、ＨＤＤ（ハードディスクドライブ）あるいはＳＳＤ（ソリッドステートドライブ）などの書き換え可能な不揮発性のメモリで構成する。記憶部３２は、例えば、制御部３１が実行するプログラムなどを記憶する。  
通信部３３は、管理サーバ１５と通信するための通信インターフェースである。通信部３３は、制御部３１の制御に応じて管理サーバ１５と通信できるものであれば良い。なお、係員端末１３は、各改札機１２の動作状態を監視するために、各改札機１２と通信する通信部を具備するものであっても良い。
【００３３】
リーダライタ３５は、利用者が所持する携帯可能電子装置としてのＩＣカードに対してデータの読取および書込みを実行する。リーダライタ３５は、利用者が所持するＩＣカードと非接触で通信することによって、当該ＩＣカードが記憶するデータを読み取ったり、当該ＩＣカードにデータを書き込んだりする。
【００３４】
ディスプレイ３６は、情報を表示する。ディスプレイ３６は、操作部３７を操作する係員を視認可能な位置に設ける。ディスプレイ３６は、制御部２１によって表示内容が制御される。  
操作部３７は、係員が操作する入力インターフェースである。操作部３７は、係員が情報を入力できるものであれば良い。例えば、操作部３７は、ボタンで構成しても良いし、ディスプレイ３６の表示画面に設けたタッチパネルで構成しても良い。
【００３５】
次に、実施形態に係る運賃収受システム１における登録装置としての券売機１４の構成について説明する。  
図４は、実施形態に係る登録装置としての券売機１４の構成例を示すブロック図である。  
図４に示すように、券売機１４は、制御部４１、記憶部４２、通信部４３、発券機構４４、リーダライタ（Ｒ／Ｗ）４５、ディスプレイ４６、操作部４７、および、現金処理部４８などを備える。  
制御部４１は、券売機１４における各種の動作を制御する。制御部４１は、プログラムを実行するプロセッサを有する。例えば、制御部４１は、プロセッサ、メモリおよびインターフェースなどで構成する。制御部４１は、プロセッサが記憶部４２または制御部４１内のメモリに記憶するプログラムを実行することにより各種の処理を実行する。例えば、本実施形態では、制御部４１は、利用者が所持するＩＣカードに搭載される電子マネーのうち改札機１２での決済に用いる電子マネーを選定するための設定情報を管理サーバ１５に登録する登録処理を行う。
【００３６】
記憶部４２は、各種のデータを記憶する。記憶部４２は、例えば、ＨＤＤ（ハードディスクドライブ）あるいはＳＳＤ（ソリッドステートドライブ）などの書き換え可能な不揮発性のメモリで構成する。記憶部４２は、例えば、制御部４１が実行するプログラムなどを記憶する。  
通信部４３は、管理サーバ１５と通信するための通信インターフェースである。通信部４３は、制御部４１の制御に応じて管理サーバ１５と通信できるものであれば良い。
【００３７】
発券機構４４は、乗車券を発券するためのものである。発券機構４４は、例えば、普通乗車券、特急券、指定券、定期券、あるいは、精算券などの券を発券する。また、発券機構４４は、発券した券に対する決済結果を示すレシートなどを発券する機能を有するものであっても良い。
【００３８】
リーダライタ４５は、利用者が所持する携帯可能電子装置としてのＩＣカードに対してデータの読取および書込みを実行する。リーダライタ４５は、利用者が所持するＩＣカードと非接触で通信することによって、当該ＩＣカードが記憶するデータを読み取ったり、当該ＩＣカードにデータを書き込んだりする。
【００３９】
ディスプレイ４６は、情報を表示する。ディスプレイ４６は、例えば、利用者に対する操作案内などを表示する。ディスプレイ３６は、制御部２１によって表示内容が制御される。  
操作部４７は、利用者が操作する入力インターフェースである。操作部４７は、利用者が情報を入力できるものであれば良い。例えば、操作部４７は、ボタンで構成しても良いし、ディスプレイ４６の表示画面に設けたタッチパネルで構成しても良い。
【００４０】
現金処理部４８は、現金を処理するものである。現金処理部４８は、利用者が投入する現金を受け入れたり、利用者に対して返金する現金（お釣りなど）を放出したりする。例えば、現金処理部４８は、発券する券の代金としての現金を受け入れ、利用者に対して支払うお釣りとしての現金を放出する。
【００４１】
次に、実施形態に係る運賃収受システム１における管理サーバ１５の構成について説明する。  
図５は、実施形態に係る管理サーバ１５の構成例を示すブロック図である。  
図５に示すように、管理サーバ１５は、制御部５１、記憶部５２、通信部５３を備える。  
制御部５１は、管理サーバ１５における各種の動作を制御する。制御部５１は、プログラムを実行するプロセッサを有する。例えば、制御部５１は、プロセッサ、メモリおよびインターフェースなどで構成する。制御部５１は、プロセッサが記憶部５２または制御部５１内のメモリに記憶するプログラムを実行することにより各種の処理を実行する。
【００４２】
例えば、制御部５１は、登録装置としての係員端末１３または券売機１４からの情報に基づいてカードＩＤに対応する電子マネーの設定情報を記憶部３２に記憶する。また、制御部３１は、改札機１２からカードＩＤを受信した場合、当該カードＩＤの携帯可能電子装置が改札機１２での決済に用いる電子マネーを選定し、選定した電子マネーを示す情報を改札機１２へ返す。また、制御部５１は、入場用の改札機１２から入場情報を受信した場合、カードＩＤに対応づけて入場情報を記憶部３２に記憶する。また、制御部５１は、出場用の改札機１２から出場情報を受信した場合、出場情報に対応するカードＩＤと一致する入場情報を検索し、カードＩＤが一致する入場情報と出場情報とに基づいて運賃を計算し、運賃の計算結果を出場用の改札機１２へ返す。
【００４３】
記憶部５２は、各種のデータを記憶する。記憶部５２は、例えば、ＨＤＤ（ハードディスクドライブ）あるいはＳＳＤ（ソリッドステートドライブ）などの書き換え可能な不揮発性のメモリで構成する。記憶部５２は、運賃計算を行うためのデータを記憶する。例えば、記憶部５２は、入場用の改札機１２から供給される決済用の媒体の識別情報に対応づけた入場情報を記憶する。また、記憶部５２は、運賃計算を実行するための運賃などの情報を示す運賃テーブルなどを記憶しても良い。なお、運賃を計算するための運賃テーブルなどの情報を管理サーバ１５とは別のサーバが保持しても良い。この場合、管理サーバ１５は、通信部を介して運賃テーブルなどの情報を取得するようにすれば良い。
【００４４】
通信部５３は、各改札機１２、係員端末１３、および、券売機１４などの駅務機器と通信するための通信インターフェースである。通信部５３は、制御部５１の制御に応じて駅務機器と通信できるものであれば良い。
【００４５】
次に、実施形態に係る運賃収受システム１における利用者が所持する携帯可能電子装置としてのＩＣカードに対する電子マネーの設定情報の登録処理について説明する。  
図６は、実施形態に係る運賃収受システム１における利用者が所持するＩＣカードに対する電子マネーの設定情報の登録処理の流れを説明するためのシーケンス図である。  
ここでは、利用者が所持するＩＣカードには、複数種類の電子マネーが搭載されているものとして説明する。
【００４６】
複数種類の電子マネーを搭載するＩＣカードを所持する利用者は、当該ＩＣカードを用いて改札機での決済を含む改札処理を行う場合に決済に使用する電子マネーを決定するための設定情報を登録する登録処理を行う。設定情報の登録処理は、係員端末１３または券売機１４で実行する。ここでは、係員端末１３で設定情報の登録処理を行う場合を想定して説明するものとする。なお、券売機１４では、操作者が利用者自身となるだけで係員端末３と同様な手順にて設定情報の登録処理が実施できるものする。
【００４７】
まず、利用者は、係員端末１３を操作する係員に、電子マネーの設定を申し出て、自身が所持するＩＣカードを手渡す。これに応じて、係員は、係員端末１３の操作部３７を操作して電子マネーの設定情報の登録処理を指示する。係員端末１３の制御部３１は、係員に操作に応じて登録処理を行うためのプログラムを起動する。制御部３１は、使用する電子マネーの設定を行う旨の案内をディスプレイ３６に表示し、設定の対象となるＩＣカードをリーダライタ３５に提示することを案内する（ＳＴ１１）。
【００４８】
リーダライタ３５は、ＩＣカードに対して応答の要求を発信する。係員が利用者から宇受け取ったＩＣカードをリーダライタ３５の読取位置に提示すると、ＩＣカードは、リーダライタ３５からの応答要求に応じてカードＩＤを含む初期応答を発信する。これにより、リーダライタ３５がＩＣカードからの初期応答を受信する（ＳＴ１２）。制御部３１は、リーダライタ３５がＩＣカードから受信する初期応答によって当該ＩＣカードのカードＩＤを取得する。
【００４９】
ＩＣカードからの応答を受信すると、係員端末１３の制御部３１は、リーダライタ３５を介して当該ＩＣカードが具備している電子マネーのブランドを示すリストを要求する（ＳＴ１３）。ＩＣカードは、リーダライタ３５からの要求に応じて当該ＩＣカードが具備している電子マネーのブランドのリストを生成し、生成したリストを示す情報をリーダライタ３５へ送信する。
【００５０】
係員端末１３のリーダライタ３５は、ＩＣカードからの電子マネーのブランドのリストを示す情報を受信して制御部３１へ供給する（ＳＴ１４）。制御部３１は、ＩＣカードが具備する電子マネーのブランドを示す情報を取得すると、当該ＩＣカードが具備する電子マネーのブランドをディスプレイ３６に表示する（ＳＴ１５）。ここで、制御部３１は、ＩＣカードが具備する電子マネーのブランドのうち改札機１２での決済が可能なブランドだけを表示するようにしても良い。
【００５１】
制御部３１は、ディスプレイ３６に電子マネーのブランドを表示した状態において、表示した電子マネーの改札機１２での利用に関する設定情報の入力を受け付ける（ＳＴ１６）。係員は、利用者の意向を聞いて操作部３７にて設定内容（電子マネーの利用設定）を入力する。電子マネーの利用設定は、管理サーバ１５が使用する電子マネーのブランドを選定できるものであれば良い。
【００５２】
例えば、電子マネーの利用設定としては、ＩＣカードが具備する電子マネーのブランドのうちで１つのブランドの電子マネーを改札機１２の決済に使用するものとして指定するようにしても良い。また、電子マネーの利用設定としては、ＩＣカードが具備する電子マネーのブランドのうちで使用不可とする電子マネーのブランドを指定するようにしても良い。この場合、管理サーバ１５では、設定情報で使用不可に指定されたブランド以外から電子マネーのブランドを選定するようにする。
【００５３】
また、電子マネーの利用設定としては、使用する電子マネーのブランドを選定するための条件を設定するようにしても良い。条件としては、例えば、決済額に応じて使用する電子マネーのブランドが選定されるように設定しても良い。この場合、第１の設定金額未満は第１のブランドとし、第１の設定金額以上は第２のブランドとするような設定が可能である。また、条件としては、決済を実施する日時に応じて使用するブランドが選定されるように設定しても良い。この場合、土曜日と日曜日とは第１のブランドとし、それ以外の平日は第２のブランドとするような設定であったり、毎月１〜１５日は第１のブランドとし、それ以外の日は第２のブランドとするような設定が可能である。
【００５４】
さらに、電子マネーの利用設定としては、複数のブランドの電子マネーに対して使用する優先順位を付与しても良い。例えば、電子マネーを選択する優先順位としては、利用可能な残額が多い順番に電子マネーのブランドを選択するようにしても良いし、決済額を満たすブランドのうち残額が少ない順番に電子マネーのブランドを選択するようにしても良い。
【００５５】
係員が設定内容の入力完了を指示すると、制御部３１は、係員が操作部３７にて入力した電子マネーの利用設定に応じて設定情報を生成する。制御部３１は、入力された設定内容に応じた設定情報に対して当該ＩＣカードから取得したカードＩＤを付与し、設定情報の登録を管理サーバ１５へ依頼する（ＳＴ１７）。
【００５６】
管理サーバ１５は、通信部５３により係員端末１３からの設定情報の登録の依頼を受信する。設定情報の登録の依頼を受信すると、管理サーバ１５の制御部５１は、受信した設定情報をカードＩＤに対応づけて記憶部５２に記憶する。記憶部５２には、カードＩＤをキーに検索できるように設定情報が記憶される。設定情報を記憶部５２に記憶すると、制御部５１は、依頼元の係員端末１３へ設定情報の登録完了を示す通知を送信する（ＳＴ１９）。
【００５７】
係員端末１３の制御部３１は、通信部３３により管理サーバ１５から設定情報の登録完了の通知を受けると、設定完了をディスプレイ３６に表示し（ＳＴ２０）、設定情報の登録処理を終了する。また、設定完了がディスプレイ３６に表示されると、係員は、利用者から提示された当該ＩＣカードを利用者へ返却して一連の操作を終了する。
【００５８】
以上の処理により、管理サーバ１５には、利用者が所持するＩＣカードごとに改札機での決済に使用する電子マネーを選定するための設定情報が記憶される。管理サーバ１５は、ＩＣカードの識別情報としてのカードＩＤに対応づけて電子マネーの利用設定を示す設定情報を保存しておくことにより、改札機からのカードＩＤを含む問合せに対してカードＩＤに対応する設定情報を検索でき、設定情報に基づいて改札機での決済に使用すべき電子マネーのブランドを選定できる。
【００５９】
次に、実施形態に係る運賃収受システム１における改札処理について説明する。  
まず、実施形態に係る運賃収受システム１における入場処理について説明する。  
図７は、実施形態に係る運賃収受システム１における入場処理の流れを説明するためのシーケンス図である。  
ここでは、利用者が複数種類の電子マネーを具備するＩＣカードを所持し、当該ＩＣカードに対して電子マネーの利用設定が管理サーバ１５に登録済みであることを想定して説明するものとする。また、図７では、入場時に所定料金（初乗り運賃など）を収受する運用である場合の入場処理の例を示すものである。なお、入場時に料金の収受を行わない運用である場合は、図７に示す処理のうち電子マネーによる決済に係る処理は省略され、改札機１２で読み取るＩＣカードの識別情報に対応づけて入場情報を管理サーバ１５が保存する入場処理となる。
【００６０】
待機状態において、改札機１２のリーダライタ２５は、通行する利用者が所持するＩＣカードに対して応答を要求する電波を発信する（ＳＴ３１）。例えば、入場口（改札口）に設けられた改札機１２は、センサなどにより入場しようとする利用者（入場者）を検知する。入場しようとする利用者を検知した場合、改札機１２の制御部２１は、リーダライタ２５により利用者が所持するＩＣカードに対して応答を要求する電波を発信する。利用者が所持するＩＣカードは、リーダライタ２５からの電波を受けて起動し、初期応答としてカードＩＤを含む応答を発信する。
【００６１】
改札機１２は、リーダライタ２５によって利用者が所持するＩＣカードからのカードＩＤを含む初期応答を受信する（ＳＴ３２）。リーダライタ２５がＩＣカードからの初期応答を受信すると、制御部２１は、ＩＣカードから初期応答として取得した当該ＩＣカードの識別情報としてのカードＩＤとともに使用する電子マネーの問合せを管理サーバ１５へ送信する（ＳＴ３３）。
【００６２】
なお、制御部２１は、リーダライタ２５が読み取るＩＣカードが１つのブランドの電子マネーしか搭載しない場合には管理サーバ１５への問合せを省略しても良い。すなわち、制御部２１は、リーダライタ２５が読み取るＩＣカードが複数のブランドの電子マネーを搭載している場合に管理サーバ１５への問合せを行うようにして良い。
【００６３】
管理サーバ１５は、通信部５３により改札機１２からのカードＩＤを含む使用する電子マネーの問合せを受信する。問合せを受信すると、管理サーバ１５の制御部５１は、記憶部５２に記憶した設定情報のなかから問合せに含まれるカードＩＤに対応する設定情報を検索する。問合せを受けたカードＩＤに対応する設定情報を取得すると、制御部５１は、取得した設定情報に基づいて改札機１２の決済に使用すべき電子マネーのブランドを選定する（ＳＴ３４）。
【００６４】
例えば、設定情報で使用する１つの電子マネーのブランドが指定されていれば、制御部５１は、指定されている電子マネーのブランドを選定する。また、設定情報で使用を禁止する電子マネーのブランドが指定されている場合、制御部５１は、使用の禁止として指定されているブランド以外から使用すべき電子マネーのブランドを選定する。また、設定情報で使用する電子マネーのブランドを選定するための条件が設定されている場合、制御部５１は、設定されている条件に従って使用すべき電子マネーのブランドを選定する。  
設定情報に基づいて使用すべき電子マネーのブランドを選定すると、制御部５１は、選定した電子マネーのブランドを示す情報を問合せ元の改札機１２へ送信する（ＳＴ３５）。
【００６５】
使用すべき電子マネーのブランドを示す情報を取得すると、改札機１２の制御部２１は、管理サーバ１５が設定情報に基づいて選定（指定）したブランドの電子マネーを使用するための認証処理を実行する（ＳＴ３６）。認証処理は、当該ＩＣカードに搭載されている指定されたブランドの電子マネーが正当なものであるかを認証するための処理である。認証処理として、制御部２１は、ＩＣカードに対して指定するブランドの電子マネーの認証要求を送信し（ＳＴ３６）ＩＣカードから指定するブランドの電子マネーの認証完了を示す通知を受信する（ＳＴ３７）。
【００６６】
指定ブランドの電子マネーの認証が完了すると、制御部２１は、リーダライタ２５を介して決済用データの読み出しをＩＣカードへ送信する（ＳＴ３８）。ＩＣカードは、リーダライタ２５からの読み出し要求に応じて指定ブランドの電子マネーの決済用データを読み出し、読み出した決済用データをリーダライタ２５へ送信する。これに応じて、改札機１２の制御部２１は、リーダライタ２５によってＩＣカードから読み出した指定ブランドの電子マネーの決済用データを受信する（ＳＴ３９）。
【００６７】
改札機１２の制御部２１は、リーダライタ２５により受信する決済用データを用いて所定料金（例えば初乗り運賃）の決済依頼を指定ブランドの電子マネーに対応する決済サーバ１６へ送信する（ＳＴ４０）。決済サーバ１６は、改札機１２からの依頼に応じて決済用データに基づく所定料金の決済処理を実行し、決済結果を改札機１２へ返信する。これにより、改札機１２は、指定ブランドの電子マネーに対応する決済サーバ１６から決済結果を示す情報を取得する（ＳＴ４１）。
【００６８】
料金の決済結果を受信すると、制御部２１は、利用者が所持するＩＣカードに対して決済に係る書込み処理を実行する。すなわち、制御部２１は、リーダライタ２５によってＩＣカードに対して決済結果に応じた書き込みを要求する（ＳＴ４２）。ＩＣカードは、改札機１２のリーダライタ２５からの書き込み要求に応じて決済結果に応じたデータを書き込み、書込み完了（書込み結果）を示す通知をリーダライタ２５へ送信する（ＳＴ４３）。これにより、制御部２１は、リーダライタ２５によりＩＣカードからの書込み完了の通知を受けると、利用者が所持するＩＣカードを用いた決済を完了する。
【００６９】
決済が正常に完了すると、制御部２１は、利用者に対する通行制御として当該利用者を入場させる制御を実行する（ＳＴ４４）。この場合、制御部２１は、利用者の入場を許可する旨の案内をディスプレイ２６に表示し、通行制御機構２８としてのドアを開放することで当該利用者を入場させる。これにより、改札機１２は、当該利用者に対して入場を促すとともに、当該ＩＣカードを用いた入場を許可する。
【００７０】
また、利用者を入場させる場合、制御部２１は、初期応答としてＩＣカードから読み取ったカードＩＤに対応づけて入場情報を生成し、生成した入場情報を管理サーバ１５に送信する（ＳＴ４５）。管理サーバ１５は、改札機１２からの入場情報を受信し、受信した入場情報をカードＩＤに対応づけて保存する（ＳＴ４６）。すなわち、管理サーバ１５の制御部５１は、通信部５３により入場用の改札機１２から受信するカードＩＤに対応づけた入場情報を記憶部３２に記憶する。管理サーバ１５は、出場用の改札機１２からの運賃計算の要求に応じてカードＩＤに基づいて入場情報を検索できるように、カードＩＤに対応づけて入場情報を記憶する。
【００７１】
以上の処理によって、実施形態に係る運賃収受システムは、複数種類の電子マネーを搭載したＩＣカードであっても予め設定した設定情報に基づいて選定されるブランドの電子マネーを用いた入場処理が実行できる。また、上述した入場処理によれば、運賃収受システムは、複数種類の電子マネーを搭載したＩＣカードであっても、管理サーバが入場情報を当該ＩＣカードのカードＩＤに対応づけて記憶および管理できる。
【００７２】
次に、本実施形態に係る運賃収受システムにおける出場処理について説明する。  
図８は、実施形態に係る運賃収受システムにおける出場処理の流れを説明するためのシーケンス図である。  
ここでは、利用者が複数種類の電子マネーを具備するＩＣカードを所持し、当該ＩＣカードに対する電子マネーの利用設定を示す設定情報が管理サーバ１５に登録済みであることを想定して説明するものとする。
【００７３】
待機状態において、改札機１２のリーダライタ２５は、通行する利用者が所持するＩＣカードに対して応答を要求する電波を発信する（Ｓ５１）。例えば、出場口（改札口）に設けられた改札機（出場用の改札機）１２は、センサなどにより出場しようとする利用者（出場者）を検知する。出場しようとする利用者を検知した場合、改札機１２の制御部２１は、リーダライタ２５により利用者が所持するＩＣカードに対して応答を要求する電波を発信する。
【００７４】
利用者が所持するＩＣカードは、リーダライタ２５からの電波を受けて起動し、カードＩＤを含む初期応答を発信する。ＩＣカードは、初期応答としてＩＣカードの識別情報としてのカードＩＤを含む情報を送信する。利用者が所持するＩＣカードが初期応答を発信すると、改札機１２のリーダライタ２５は、ＩＣカードからのカードＩＤを含む初期応答を受信する（ＳＴ５２）。
【００７５】
リーダライタ２５によりＩＣカードからの初期応答を受信すると、制御部２１は、初期応答に含まれるカードＩＤとともに使用する電子マネーの問合せを管理サーバ１５へ送信する（ＳＴ５３）。  
なお、初期応答を受信した時点で出場駅などの出場情報が確定するため、改札機１２の制御部２１は、使用する電子マネーの問合せとともに、出場駅などを示す出場情報を管理サーバ１５へ送信するようにしても良い。この場合、管理サーバ１５の制御部５１は、カードＩＤに対応づけた出場情報を受信した時点でカードＩＤが一致する入場情報に基づいて運賃などを計算しておくようにしても良い。
【００７６】
管理サーバ１５は、通信部５３により改札機１２からのカードＩＤを含む使用する電子マネーの問合せを受信する。問合せを受信すると、管理サーバ１５の制御部５１は、問合せに含まれるカードＩＤに対応する設定情報を検索する。問合せを受けたカードＩＤに対応する設定情報を取得すると、制御部５１は、取得した設定情報に基づいて改札機１２の決済に使用すべき電子マネーのブランドを選定する（ＳＴ５４）。
【００７７】
例えば、設定情報で使用する１つの電子マネーのブランドが指定されていれば、制御部５１は、指定されている電子マネーのブランドを選定する。また、設定情報で使用する電子マネーのブランドの条件が設定されている場合、制御部５１は、設定されている条件に従って使用すべき電子マネーのブランドを選定する。
【００７８】
なお、図７に示すような入場時に所定料金（例えば、初乗り運賃）を決済する運用である場合、出場処理において出場用の改札機１２での決済に使用する電子マネーのブランドは、入場時に使用したブランドと必ずしも一致しなくても良い。つまり、同一のＩＣカードであっても、入場時の決済に使用する電子マネーのブランドと出場時に使用する電子マネーのブランドとが別のブランドになるような電子マネーの利用設定を示す設定情報を登録するようにしても良い。例えば、入場時に決済したブランドの電子マネーでは、出場時に決済が必要な残額が不足する場合には、別のブランドの電子マネーで出場時の決済を行うような設定情報が登録できるようにしても良い。また、入場処理における決済に使用する電子マネーのブランドと出場処理における決済に使用する電子マネーのブランドとをそれぞれ指定するような設定情報が登録できるようにしても良い。
【００７９】
カードＩＤに対応する設定情報に基づいて使用すべき電子マネーのブランドを選定すると、制御部５１は、選定した電子マネーのブランドを示す情報を問合せ元の改札機１２へ送信する（ＳＴ５５）。
【００８０】
管理サーバ１５から電子マネーのブランドを示す情報を取得すると、改札機１２の制御部２１は、管理サーバ１５から指定されたブランドの電子マネー（指定ブランドの電子マネー）を使用するための認証処理を実行する（ＳＴ５６−５７）。認証処理は、当該ＩＣカードに搭載されている指定ブランドの電子マネーが正当なものであるかを認証するための処理である。認証処理として、制御部２１は、ＩＣカードに対して指定ブランドの電子マネーの認証要求を送信し（ＳＴ５６）ＩＣカードから指定ブランドの電子マネーの認証完了を示す通知を受信する（ＳＴ５７）。
【００８１】
指定ブランドの電子マネーの認証が完了すると、制御部２１は、リーダライタ２５を介して指定ブランドの電子マネーによる決済用データの読み出しをＩＣカードへ送信する（ＳＴ５８）。ＩＣカードは、リーダライタ２５からの読み出し要求に応じて指定ブランドの電子マネーの決済用データを読み出し、読み出した決済用データをリーダライタ２５へ送信する。これに応じて、改札機１２のリーダライタ２５は、ＩＣカードから指定ブランドの電子マネーの決済用データを受信する（ＳＴ５９）。
【００８２】
また、制御部２１は、利用者が当該ＩＣカードを用いて出場するための精算額（運賃）を管理サーバ１５へ問い合わせる（ＳＴ６０）。例えば、制御部２１は、利用者が所持するＩＣカードのカードＩＤと出場情報とを含む運賃の問合せを管理サーバ１５へ送信する。ここで、出場情報は、運賃を計算するために必要な情報であり、出場駅、出場日時、改札機の機体コードなどを含む情報である。
【００８３】
管理サーバ１５は、通信部５３により出場用の改札機１２からカードＩＤと出場情報とを含む運賃の問合せ（運賃計算の依頼）を受信する。運賃の問合せを受信すると、管理サーバ１５の制御部５１は、運賃の問合せと共に受信したカードＩＤと一致するカードＩＤに対応づけられた入場情報を記憶部５２から特定する。カードＩＤが一致する入場情報を特定すると、制御部５１は、入場情報が示す入場駅から出場情報が示す出場駅までの運賃を計算する。なお、入場時に初乗り料金を徴収する運用である場合には、制御部５１は、入場駅と出場駅との間の運賃から初乗り料金を差し引いた金額を精算額（運賃）として計算すれば良い。
【００８４】
カードＩＤが一致する入場情報と出場情報とに基づいて運賃を計算すると、制御部５１は、改札機１２での決済が必要となる精算額（運賃）の計算結果を示す運賃情報を問合せ元（依頼元）の改札機１２へ送信する。これにより、運賃の問合せを行った改札機１２は、管理サーバ１５からの運賃情報を通信部２３によって受信する（ＳＴ６１）。
【００８５】
改札機１２の制御部２１は、管理サーバ１５が算出した運賃を取得すると、運賃を指定ブランドの電子マネーで決済する処理を実行する。すなわち、制御部２１は、管理サーバ１５が算出した運賃の決済の依頼を認証が完了している指定ブランドの電子マネーに対応する決済サーバ１６へ送信する（ＳＴ６２）。決済サーバ１６は、改札機１２からの依頼に応じて決済用データに基づく運賃の決済処理を実行し、決済結果を改札機１２へ返信する。これにより、改札機１２は、指定ブランドの電子マネーに対応する決済サーバ１６から運賃の決済結果を示す情報を取得する（ＳＴ６３）。
【００８６】
運賃の決済結果を受信すると、制御部２１は、利用者が所持するＩＣカードに対して決済に係るデータの書込み処理を実行する。すなわち、制御部２１は、リーダライタ２５によってＩＣカードに対して決済結果に応じた書き込みを要求する（ＳＴ６４）。ＩＣカードは、改札機１２のリーダライタ２５からの書き込み要求に応じて決済結果に応じたデータを書き込み、書込み完了（書込み結果）を示す通知をリーダライタ２５へ送信する（ＳＴ６５）。これにより、制御部２１は、リーダライタ２５によりＩＣカードからの書込み完了の通知を受けると、利用者が所持するＩＣカードを用いた決済を完了する。
【００８７】
運賃の決済が正常に完了すると、制御部２１は、利用者に対する通行制御として当該利用者を出場（通過）させる制御を実行する（ＳＴ６６）。この場合、制御部２１は、利用者の出場を許可する旨の案内をディスプレイ２６に表示し、通行制御機構２８としてのドアを開放することで当該利用者を出場させる。これにより、改札機１２は、当該ＩＣカードを用いた出場を許可するとともに、当該利用者に対して出場を促す。
【００８８】
利用者を出場させると、制御部２１は、出場完了通知を管理サーバ１５に送信する（ＳＴ６７）。管理サーバ１５の通信部３３は、改札機１２からの出場完了通知を受信する。管理サーバ１５の制御部３１は、通信部３３により受信した出場完了通知に基づいてカードＩＤに対応づけた出場情報を記憶部３２に記憶する（ＳＴ６８）。これにより、管理サーバ１５は、カードＩＤに対応する入場情報に出場情報を対応づけて記憶でき、入場情報が出場済みであることを示すことができる。なお、管理サーバ１５の制御部５１は、カードＩＤを含む出場完了通知に応じて出場が完了したカードＩＤと一致する入場情報を記憶部３２から削除するようにしても良い。
【００８９】
以上の処理によって、実施形態に係る運賃収受システムは、複数種類の電子マネーを搭載したＩＣカードであっても予め設定した設定情報に基づいて選定されるブランドの電子マネーを用いた出場処理が実行できる。また、上述した出場処理によれば、運賃収受システムは、利用者が改札機に対して操作を行うことなく、ＩＣカードのカードＩＤに対応づけた入場情報と出場情報とから管理サーバ１５が計算する運賃を設定情報に基づいて選定されるブランドの電子マネーで決済できる。これにより、実施形態に係る運賃収受システムは、複数種類の電子マネーを搭載したＩＣカードであっても、利用者の操作なしで、利用者の意向に応じて選定されるブランドの電子マネーを用いて改札機での決済を行うことができる。
【００９０】
なお、上記した各処理はいくつかのソフトウェアによって実行することが可能である。このため、上記処理の手順を実行するいくつかのプログラムを格納したコンピュータ読み取り可能な記憶媒体を通じてこれらプログラムを運賃収受システム（改札機１２、係員端末１３、券売機１４及び管理サーバ１５）へインストールして実行することで、上記処理を容易に実現することができる。例えば、改札機、係員端末、券売機および管理サーバは、プログラムをネットワーク経由でダウンロードし、ダウンロードしたプログラムを記憶することで、プログラムをインストールするようにしても良い。また、改札機、係員端末、券売機および管理サーバは、上記プログラムを各種の情報記憶媒体から読み取り、読み取ったプログラムを記憶することで、プログラムをインストールするようにしても良い。
【００９１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９２】
１…運賃収受システム、１２…改札機、１３…係員端末（登録装置）、１４…券売機（登録装置）、１５…管理サーバ、１６（１６Ａ、１６Ｂ、１６Ｃ）…決済サーバ、２１…制御部（第３の制御部、第２の制御部）、２２…記憶部、２３…第１通信部（第３の通信部、第２の通信部）、２４…第２通信部、２５…リーダライタ（第２のリーダ、リーダ）、２８…通行制御機構、３１、４１…制御部（第１の制御部）、３２、４２…記憶部、３３、４３…通信部（第１の通信部）、３５…リーダライタ（第１のリーダ、リーダ）、３６、４６…ディスプレイ、３７、４７…操作部、５１…制御部（第２の制御部）、５２…記憶部、５３…通信部（第２の通信部、第１の通信部）。
【図１】
2020177558.tif 000003
【図２】
2020177558.tif 000004
【図３】
2020177558.tif 000005
【図４】
2020177558.tif 000006
【図５】
2020177558.tif 000007
【図６】
2020177558.tif 000008
【図７】
2020177558.tif 000009
【図８】
2020177558.tif 000010